(57)【要約】【課題】省電力モードにある場合においてユーザーに対して見やすい表示を、その書き換え頻度を少なくして行う。【解決手段】本体５０の上面には、このように原稿Ｐが読み取られる際に上側を覆うプラテンカバー５１が設けられている。この画像形成装置１においては、プラテンカバー５１の下面において、電子ペーパー１８が設けられる。制御部が電子ペーパー１８に関して行う制御は、プラテンカバー５１の開閉の状態に応じて行われ、このためにプラテンカバー５１の開閉を認識する開閉センサーが設けられる。制御部は、電子ペーパー１８に各種の情報あるいは図形等を表示させることができる。【選択図】図２
2019213150.tif 000002
【特許請求の範囲】
【請求項１】
原稿載置面に原稿が載置された状態で前記原稿載置面を上側から覆う閉状態と、前記閉状態から鉛直方向で回動することによって前記原稿載置面を露出させる開状態と、が設定されるプラテンカバーと、
前記原稿載置面に載置された前記原稿を下側から撮像することによって前記原稿に形成された画像を読み取る読取部と、
を具備する画像読取装置であって、
前記閉状態における前記プラテンカバーの前記原稿載置面と対向する側の面に設けられ、省電力モードの際においても表示が可能な補助表示部と、
前記補助表示部に表示させる内容を設定し、かつ表示内容を切り替える制御を行う制御部と、
を具備することを特徴とする画像読取装置。
【請求項２】
前記制御部は、前記省電力モードの際に、前記プラテンカバーが前記閉状態から前記開状態となった場合、
前記補助表示部に、前記省電力モードからの復帰手順を表示させることを特徴とする請求項１に記載の画像読取装置。
【請求項３】
前記制御部は、
前記プラテンカバーが前記閉状態から前記開状態となった場合に、前記補助表示部における表示を切り替えることを特徴とする請求項１又は２に記載の画像読取装置。
【請求項４】
前記制御部は、
予め設定された閾値と、使用される消耗品の量との間の大小関係に基づき、前記補助表示部における表示を切り替えることを特徴とする請求項３に記載の画像読取装置。
【請求項５】
前記制御部は、前記プラテンカバーが前記開状態にある場合において、前記読取部により前記原稿の読込が行われたら、
前記読取部の読取のタイミングに応じて、前記補助表示部における表示を切り替えることを特徴とする請求項１から請求項４までのいずれか１項に記載の画像読取装置。
【請求項６】
前記制御部は、前記プラテンカバーが前記開状態にある場合において、前記読取部により前記原稿の読込が行われたら、
前記補助表示部に、前記読取部により読み取られた画像を表示することを特徴とする請求項５に記載の画像読取装置。
【請求項７】
前記制御部は、
前記補助表示部において、前記原稿載置面内の矩形形状の辺に対応するように当該辺に沿って形成されたパターンである原稿サイズ認識用パターンを表示させることを特徴とする請求項１から請求項６までのいずれか１項に記載の画像読取装置。
【請求項８】
前記制御部は、
前記原稿サイズ認識用パターンが前記原稿によって遮蔽された領域を前記読取部によって認識することによって、前記原稿のサイズを認識することを特徴とする請求項７に記載の画像読取装置。
【発明の詳細な説明】
【技術分野】
【０００１】
本発明は、媒体上に形成された画像を光学的に読み取る画像読取装置に関する。
【背景技術】
【０００２】
用紙上に形成された画像を光学的に読み取り、この画像を新たに別の用紙に形成した上で出力するコピー機能を有する画像形成装置が広く用いられており、その使用のためには取扱説明書が設けられている。しかしながら、近年は、コピー機能の他に、ネットワークを介したパーソナルコンピューターからの印刷ジョブを実行する印刷機能や、ファクシミリ送受信機能等、様々な機能を具備する画像形成装置（複合機）が主として用いられており、こうした複合機の取扱説明書の頁数は極めて多くなるため、ユーザーが使用の際に実際に取扱説明書を見ることは、あまり行われなくなっている。
【０００３】
このため、特に重要な使用上の注意については、複合機（画像形成装置）においてユーザーが視認しやすい箇所で、文字による表示あるいはこれに簡単な図も追記された表示が行われている。また、複合機には通常、小さなディスプレイが設けられているため、ユーザーに対する各種の指示を、このディスプレイを介して行わせることもできる。
【０００４】
また、特許文献１には、電子ペーパーを用いて各種の指示を行うことができる画像形成装置が記載されている。電子ペーパーは、通常のディスプレイとは異なり、表示に際しての消費電力が零である、あるいは消費電力が極めて小さく、かつ書き換えが可能であり、電源がオフとされても表示（記憶）内容が消去されない不揮発性の特性を有する。このため、この電子ペーパーに表示する内容を、適宜書き換えて用いることができる。
【０００５】
また、複合機においては、待機状態において、消費電力の大きな構成要素への電力供給を制限する省電力モードが設定される場合がある。前記のようなディスプレイにおける表示時の消費電力は無視できないため、この省電力モードに設定された場合には、このディスプレイでの表示は不可の状態とされる。一方、電子ペーパーの表示時の消費電力は無視できるため、省電力モード、あるいは電源がオフ時においても電子ペーパーを用いた表示を行わせることができる。このため、特許文献１に記載の画像形成装置において、省電力モードでは、この電子ペーパーを用いて、ユーザーに対する各種の指示を行うことができる。
【先行技術文献】
【特許文献】
【０００６】
【特許文献１】特開２００９−２１０６８３号公報
【発明の概要】
【発明が解決しようとする課題】
【０００７】
電子ペーパーは、省電力モード等の場合においても表示が可能であるという長所がある一方で、表示の書き換え時の消費電力は無視できない。また、その書き換え回数には制限があり、この制限を超えると、その使用が不可となる。特許文献１に記載の技術では、電子ペーパーの書き換え回数が多くなるため、消費電力が大きくなる、あるいは短期間で電子ペーパーが使用不可となった。
【０００８】
また、上記のようにユーザーへの指示を適切に行うという観点からは、使用する電子ペーパーの面積は大きいことが好ましい。一方、原稿の画像を光学的に読み取る機能も具備する複合機（画像読取装置）においては、装置の上部にプラテンカバーや、原稿を搬送するための機構が設けられているため、装置の上部の構成が複雑となる。この場合には、このように大面積の電子ペーパーをユーザーが視認しやすい箇所に設けることは困難であった。
【０００９】
このため、省電力モードにある場合においてユーザーに対して見やすい表示を、その書き換え頻度を少なくして行う画像読取装置が求められた。
【００１０】
本発明はこのような状況に鑑みてなされたものであり、上記課題を解決できる技術を提供することを目的とする。
【課題を解決するための手段】
【００１１】
本発明の画像読取装置は、原稿載置面に原稿が載置された状態で前記原稿載置面を上側から覆う閉状態と、前記閉状態から鉛直方向で回動することによって前記原稿載置面を露出させる開状態と、が設定されるプラテンカバーと、前記原稿載置面に載置された前記原稿を下側から撮像することによって前記原稿に形成された画像を読み取る読取部と、を具備する画像読取装置であって、前記閉状態における前記プラテンカバーの前記原稿載置面と対向する側の面に設けられ、省電力モードの際においても表示が可能な補助表示部と、前記補助表示部に表示させる内容を設定し、かつ表示内容を切り替える制御を行う制御部と、を具備することを特徴とする。
【発明の効果】
【００１２】
上記の構成により、省電力モードにある場合においてユーザーに対して見やすい表示を、その書き換え頻度を少なくして行う画像読取装置を得ることができる。
【図面の簡単な説明】
【００１３】
【図１】本発明の実施の形態に係る画像読取装置の構成を示すブロック図である。
【図２】本発明の実施の形態に係る画像読取装置の外観を示す斜視図である。
【図３】電子ペーパーにおける表示の第１の例である。
【図４】電子ペーパーにおける表示の第２の例である。
【図５】電子ペーパーにおける表示の第３の例である。
【発明を実施するための形態】
【００１４】
以下、本発明を実施の形態に係る画像読取装置について説明する。この画像読取装置は、原稿に形成された画像（文字等も含む）を光学的に読み取り、この画像を他の用紙に新たに形成して出力するコピー機能や、この画像をファクシミリ送信する機能、この画像を画像ファイルとして記憶した後で他の機器に転送する機能等を有する。図１は、この画像読取装置１の構成を機能毎に示すブロック図である。
【００１５】
この画像読取装置１においては、撮像素子を用いて原稿を光学的に読み取る原稿読取部（読取部）１１が用いられる。この原稿読取部１１において画像を適正に読み取るためには原稿は所定の位置に適正に載置される必要があり、原稿はユーザーにより１枚ずつ載置される、あるいは原稿搬送機構１２によって原稿は自動的に適正に載置される。原稿読取部１１によって得られた画像は画像ファイルとして、ハードディスクや不揮発性メモリで構成された記憶部１３に記憶される。また、画像形成部１４は、この画像ファイルに基づいて、新たな用紙（媒体）にこの画像をトナーパターンとして形成して出力することにより、コピー機能を実行する。この際に画像形成部１４に用紙を用紙カセット（図示せず）から１枚ずつ搬送して出力させる用紙搬送機構１５が用いられる。上記の構成要素の全てを制御して上記の動作を適正に行わせるＣＰＵを具備する制御部１０が設けられる。
【００１６】
また、この画像読取装置１は実際には複合機であり、ネットワークを介して接続されたパーソナルコンピューターから受信した印刷ジョブに基づいて画像形成部１４を用いて印刷出力を行う印刷機能、ファクシミリ受信した画像を画像形成部１４から出力するファクシミリ受信機能、原稿読取部１１によって読み取られた画像をファクシミリ送信するファクシミリ送信機能等も具備する。また、記憶部１３に記憶された画像ファイル等を、画像読取装置１に接続された記憶媒体に記憶させる、あるいはネットワークを介して接続された外部機器に記憶させる、等の機能も有するが、これらに関する機構はここでは省略されている。
【００１７】
上記の機能を実行するためのユーザーによる各種の設定を行うための操作パネル１６、各所の情報を表示するディスプレイを具備する表示部１７が設けられる。操作パネル１６のうちの一部は、実際には表示部１７を一体化されたタッチパネルディスプレイとして設けられる。
【００１８】
ここで、表示部１７とは別に、ユーザーに対する指示等を表示する電子ペーパー（補助表示部）１８が設けられる。表示部１７としては、例えば液晶ディスプレイ等が用いられ、これによって上記のタッチパネルディスプレイを構成することができる。通常知られる液晶ディスプレイにおいては、消費電力の大きなバックライトを点灯させることによって表示が行われる。一方、電子ペーパー１８は、例えば特許文献１に記載のものと同様であり、電気泳動方式等のものが用いられ、電子ペーパー１８の動作時（表示時）の消費電力は零である、あるいはその消費電力はバックライトが用いられる表示部１７の動作時（表示時）の消費電力と比べて無視できる程度に小さい。ただし、その書き換え時の消費電力は無視できない。また、液晶ディスプレイ等とは異なり、電子ペーパー１８の書き換え回数には制限があり、この制限を超えると書き換えが不可となる、あるいは電子ペーパー１８を用いた表示が不可となる。このため、液晶ディスプレイ（表示部１７）とは異なり、電子ペーパー１８における書き換え動作を行う頻度は必要最低限とすることが好ましい。
【００１９】
また、特許文献１に記載の画像処理装置と同様に、この画像読取装置１においても、待機時には省電力モードが設定される。この際には、表示部１７において用いられるバックライトには電力が供給されず、表示部１７は休止状態となる。一方、電子ペーパー１８の表示時における消費電力は無視できる程度であるため、省電力モードにおいても電子ペーパー１８による表示は行われる。
【００２０】
図１に対して、図２は、この画像読取装置１の外観を示す斜視図である。この画像読取装置１は、図１における原稿読取部１１、記憶部１３、画像形成部１４、用紙搬送機構１５に加え、画像形成部１４で用いられるトナーが蓄えられたトナーコンテナや、使用される用紙が蓄えられた用紙カセット等を内蔵する本体５０を具備する。原稿読取部１１を動作させる際には、本体５０の上面における原稿載置面５０Ａに原稿Ｐが載置され、下側から原稿読取部１１によって照明光が照射されると共に撮像される。原稿Ｐのサイズは、原稿Ｐに使用される用紙の規格で定められたサイズとなり、様々であるため、原稿載置面５０Ａは原稿Ｐよりも十分に大きく、原稿読取部１１は、原稿載置面５０Ａ全体を下側から撮像できるような構成とされる。
【００２１】
本体５０の上面には、このように原稿Ｐが読み取られる際に上側を覆うプラテンカバー５１が設けられている。プラテンカバー５１は、本体２５の上面に対して鉛直面内で回動可能なように装着されており、閉じた状態（閉状態：原稿Ｐを含む原稿載置面５０Ａがプラテンカバー５１で覆われる状態）と、開いた状態（開状態：閉状態からプラテンカバー５１が回動して原稿載置面５０Ａが上側から覆われない状態）の２つの状態が設定される。図２においては、開状態の場合が示されている。
【００２２】
また、プラテンカバー５１には、図１における原稿搬送機構１２が設けられている。原稿搬送機構１２を用いて原稿の読み取りを行う際には、プラテンカバー５１は閉じた状態とされ、プラテンカバー５１の上部にセットされた原稿Ｐが、１枚ずつ原稿搬送機構１２によって原稿載置面５０Ａに適正に載置される。原稿載置面５０Ａは、各種のサイズの原稿Ｐ（用紙）が載置可能な矩形形状とされ、これを通した照明及び撮像が可能なように透明なガラス材料で構成される。
【００２３】
また、図１における操作パネル１６、表示部１７は、本体５０の上面におけるプラテンカバー５１で覆われない端部側に設けられている。このため、ユーザーは、プラテンカバー５１の開閉の状態に関わらず、表示部１７を上側から視認することができ、操作パネル１６を上側から操作することができる。
【００２４】
上記のような本体５０とプラテンカバー５１の組み合わせを含んだ構成は、従来の画像読取装置と同様である。この画像形成装置１においては、プラテンカバー５１の下面（プラテンカバー５１が閉じた状態において原稿載置面５０Ａ側となる面）において、電子ペーパー（補助表示部）１８が設けられる。電子ペーパー１８をプラテンカバー５１の下面に設けることにより、図２に示されるように、電子ペーパー１８の面積を表示部１７と比べて十分に広くすることができる。
【００２５】
制御部１０が電子ペーパー１８に関して行う制御は、プラテンカバー５１の開閉の状態に応じて行われ、図１において、このためにプラテンカバー５１の開閉を認識する開閉センサー１９が設けられる。開閉センサー１９は、例えばマイクロスイッチで構成される。また、電子ペーパー１８に関わる制御は、この画像読取装置１を用いる際の消耗品の量（残量）に応じても行われる。この消耗品としては、例えば、画像形成部１４において用いられるトナーや、用紙カセットにおける用紙がある。このため、図１において、画像形成部１４のトナータンクにおけるトナー残量を検知するトナー残量センサー２０、用紙カセットにおける用紙の残量を検知する用紙残量センサー２１が設けられる。なお、トナーや用紙は実際には複数種類が用いられ、実際にはトナータンク、用紙カセットはこれらの種類毎に設けられる場合もある。この場合、トナー残量センサー２０、用紙残量センサー２１は実際にはこれらの種類毎にそれぞれ複数設けられ、各々の量（残量）が認識されるが、図１においては、単純化して各々一つずつがあるものとして記載されている。
【００２６】
制御部１０は、電子ペーパー１８に各種の情報あるいは図形等を表示させることができる。プラテンカバー５１が開いた図２の状態において、ユーザはこの表示を視認することができる。ただし、後述するように、この表示は、プラテンカバー５１が閉じ、原稿Ｐが原稿載置面５０Ａに載置され原稿読取部１１によって画像が読み取られる際に、原稿Ｐを透過して下側から原稿読取部１１で認識できないことが好ましい。このため、この表示は、原稿Ｐが存在する箇所では原稿Ｐによって遮られるために原稿読取部１１からは認識できないような色、濃度で行わせることができる。このような表示が行われた場合でも、プラテンカバー５１が開いた図２の状態では、ユーザーは電子ペーパー１８の全ての領域を目視することができる。特に、原稿搬送機構１２を用いずにユーザーが直接原稿Ｐを原稿載置面５０Ａに載置する場合は、プラテンカバー５１を手前側から持ち上げて図２の状態とするため、この際に電子ペーパー１８を容易に視認することができる。また、後述するように、この表示は、原稿載置面５０Ａにおける原稿Ｐが存在しない箇所では原稿読取部１１からは認識できるように設定することが好ましい場合もある。この場合には、この表示は、この要件が満たされるような色、濃度で行われる。
【００２７】
制御部１０が電子ペーパー１８に表示させる内容、及びその内容の書き換えタイミングについて説明する。ここで、図２に示されるように、この電子ペーパー１８の面積は表示部１７と比べて十分に広くとることができるため、表示部１７よりも多くの情報を表示することができる。このため、電子ペーパー１８には、同時に複数の内容を表示させることができる。
【００２８】
図３（ａ）（ｂ）は、この際の電子ペーパー１８における表示の例（第１の例）である。図３（ａ）では、左側の領域Ａ１において、この画像読取装置１の操作手順が表示される。ここで、ユーザーがプラテンカバー５１を開いて原稿Ｐを載置する動作は、一般的にはこの原稿Ｐのコピーのために行われると推定できるため、ここでは、この操作手順として、特にコピーを行うための操作手順が表示される。なお、図３においては、単純化してこの表示のタイトル（「コピーの操作手順」）のみが記載されているが、実際には、この操作手順が文章により、あるいは更にこれに画像等を加えて記載されている。以下に説明する他の表示についても同様である。
【００２９】
また、図３（ａ）における右上の領域Ａ２においては、上記のような消耗品（トナー、用紙）の残量に関する情報が表示され、右下の領域Ａ３においては、電源オフ、省電力モードからこの画像読取装置１を動作させて領域Ａ１で表示されたようなコピーのための操作を行わせるまでの手順が表示されている。
【００３０】
上記のようにユーザーがプラテンカバー５１を開き、原稿Ｐを載置する作業は、この画像読取装置１の電源がオフであっても、省電力モードであっても行うことができる。この際、前記のように電子ペーパー１８による表示は可能であるため、ユーザーは電子ペーパー１８に表示された内容を視認することができる。また、制御部１０は、現在の画像読取装置１の電源がオンであり省電力モードが設定されている場合には、図３（ｂ）に示されるように、領域Ａ３において、電源オフ時からの操作手順の説明は省略され、省電力モードからの操作手順のみを表示させることができる。このように、制御部１０は、現在の画像読取装置１の状況に応じて、電子ペーパー１８に表示させる内容を定めることができる。
【００３１】
図４は、上記の領域Ａ２、Ａ３における表示の具体的な例（第２の例）である。ここでは、消耗品として、１種類の用紙、４色のトナー（シアン：Ｃ、マゼンタ：Ｍ、黄色：Ｙ、黒：Ｋ）があり、用紙の量（残量）は図１における用紙残量センサー２１、トナーの残量は上記の色毎に設けられたトナー残量センサー２０を用いて、制御部１０が認識することができる。ここでは、これらの残量は、これらがフルに充填された場合に対する割合（％）で表示され、図４（ａ）においては、これらのいずれもが５０％以上であるため、当面はこれらの補充が不要である旨が領域Ａ２で表示されている。この際、領域Ａ３では、図３（ｂ）と同様の、省電力モードからの操作手順が表示されている。
【００３２】
一方、図４（ｂ）においては、領域Ａ２において、消耗品のうちでトナーＣの残量が１０％以下となったためにトナーＣに関する表示が強調表示され、ユーザーは、これによりトナーＣの充填（実際にはトナーＣのカートリッジ交換）が推奨されることを認識することができる。この際、制御部１０は、領域Ａ３において、前記の省電力モードからの操作手順の代わりに、その後に行われるべき操作であるトナーカートリッジの交換手順を表示させることができる。
【００３３】
これにより、ユーザーは、トナーＣのカートリッジを新品（トナーＣがフルに充填されたトナーカートリッジ）に交換することができる。その後、トナーＣの残量は十分となるため、その後は図４（ａ）の表示となる。図４においては、トナーＣの残量が低下した場合が示されたが、他のトナー種の残量が低下した場合においても、同様である。また、用紙の残量が低下した場合においても同様であり、この場合には、図４（ｂ）における領域Ａ３のトナーカートリッジの交換手順の代わりに、用紙の補充手順が表示される。
【００３４】
制御部１０は、任意の時点において、用紙残量センサー２１、トナー残量センサー２０を用いて用紙、トナーの残量を認識することができるため、これらの残量に対して閾値（図４の例においては１０％）を設定し、これらの残量がこの閾値以下となった場合に、領域Ｃにおける表示内容を、上記のように切り替えることができる。
【００３５】
上記のように、制御部１０による消耗品の残量の認識は、例えば一定周期で行うことができる。しかしながら、図３、４のような表示は、プラテンカバー５１が閉じた状態においてはユーザーが視認することができないため、例えば図４（ａ）の表示から図４（ｂ）の表示への切り替えは、プラテンカバー５１が閉じた状態で行う必要はない。このため、このような表示の切り替えは、プラテンカバー５１の閉状態が維持されている間は行う必要はなく、プラテンカバー５１が閉状態から開状態になったタイミングで行うことができる。このため、実際に電子ペーパー１８の表示の切り替えを行う頻度を小さくすることができる。これによって、電子ペーパー１８の使用寿命を長くすることができる。上記のような消耗品は、いずれも急激に消耗することはなく、徐々に消耗するため、このように少ない頻度でユーザーに対して表示させても問題はない。一方、図２に示されるように、この際の電子ペーパー１８における表示はユーザーにとって視認しやすく、かつ大面積で表示がされるために、ユーザーは、確実にその内容を認識することができる。
【００３６】
上記の例においては、電子ペーパー１８における表示内容は、プラテンカバー５１が閉じた状態では原稿読取部１１から認識できないことが好ましい。このため、原稿読取部１１による原稿Ｐの撮像の際に、原稿Ｐを透過して電子ペーパー１８の表示内容が下側から見える場合には、撮像時には電子ペーパー１８の表示が確認できないようにすることができる。この場合には、例えば、撮像時に一時的に表示の濃度を薄くする、シャッターを用いる等の方策により、この表示が実質的に消去される構成とすることができる。
【００３７】
逆に、電子ペーパー１８における表示内容を原稿読取部１１に認識させることによって、制御部１０に原稿Ｐのサイズを認識させることもできる。この場合の構成について説明する。この場合には、前記の例とは逆に、特に原稿Ｐの存在しない箇所における電子ペーパー１８における表示内容が明確に原稿読取部１１に認識できることが好ましい。図５は、このような場合における表示の例（第３の例）を示す。図５においては、原稿載置面５０Ａに原稿Ｐが載置された状態で、電子ペーパー１８に表示が行われたプラテンカバー５１が閉状態とされた際に下側から見た状態（原稿読取部１１から見た状態）が示されている。電子ペーパー１８においては、矩形形状の原稿載置面５０Ａの交差する２つの辺に対応して原稿サイズ認識用パターンＳが表示されている。原稿サイズ認識用パターンＳは、ここでは辺の長さ方向に等間隔で短い線分が多数配置された目盛のパターンで構成される。
【００３８】
図５においては、原稿Ｐが載置された状態でプラテンカバー５１を閉じた場合の状況が示されている。電子ペーパー１８（原稿サイズ認識用パターンＳ）は原稿Ｐよりも上側にあるため、原稿読取部１１が下側から撮像を行なった場合には、原稿Ｐのある箇所では、原稿Ｐによって原稿サイズ認識用パターンＳが遮蔽される。制御部１０は、このように原稿読取部１１によって得られた原稿載置面５０Ａ全体の画像から、原稿サイズ認識用パターンＳが遮蔽された範囲を認識することができ、原稿Ｐで用いられた用紙が矩形形状の規格品である場合には、そのサイズを認識することができる。原稿サイズ認識用パターンとしては、図５に示されたもの以外に、各種の形状のものを用いることができる。
【００３９】
また、図５においては、原稿サイズ認識用パターンＳは電子ペーパー１８の左側端部、下側端部に設けられたが、同様に原稿Ｐのサイズが認識できる限りにおいて、原稿サイズ認識用パターンが表示される位置は任意である。また、図５においては原稿サイズ認識用パターンＳは縦方向、横方向に沿って２つ設けられたが、原稿Ｐで用いられた用紙のサイズ（種類）が限定される場合には、どちらか一方のみを用いてもよい。
【００４０】
電子ペーパー１８における図３、４の表示は、プラテンカバー５１が開いた状態においてユーザーが視認することを前提としており、図５の表示は、プラテンカバー５１が閉じた状態において原稿読取部１１により撮像が行われていることを前提としている。このため、これらの表示における色や濃度の設定は、上記の目的に応じて適宜設定される。また、これらの表示のどれを行うかは、ユーザーの操作パネル１６等の操作によって設定することができる。ただし、プラテンカバー５１が開いた状態でユーザーが電子ペーパー１８における図３、４の表示を視認する際に原稿サイズ認識用パターンＳが存在していても障害にならない場合には、原稿サイズ認識用パターンＳを常時表示させてもよい。この場合には、電子ペーパー１８における書き換え回数を更に低減することができる。この場合には、原稿サイズ認識用パターンは、図５に示されたように、端部側に設けることが好ましい。
【００４１】
更に、電子ペーパー１８における表示の第５の例として、原稿読取部１１で読み取られた原稿Pの画像を表示させてもよい。前記の通り、このような読取動作を行う際には、一般的にはプラテンカバー５１は閉状態であるとされていたが、開状態においても読取動作を行うことは可能である。この場合には、読取のタイミングに応じて、読み取られた画像を表示させることができる。この表示は、プラテンカバー５１が開状態にあり、かつ原稿Pの読取が行われたことによって行われる。あるいは、この画像の代わりに、読取動作の際に発生したエラー等を表示させてもよい。すなわち、プラテンカバー５１が開状態にある場合には、読取のタイミングに応じて電子ペーパー１８における表示を切り替えることができる。こうした動作によって、ユーザーは、原稿Pの読み取り作業を円滑に行うことができる。
【００４２】
なお、図３、４の例においては、用紙やトナー等の消耗品に関する情報が電子ペーパー１８で表示されるものとしたが、この画像読取装置における各種の情報で制御部１０が認識可能なものを適宜電子ペーパー１８で表示させることができる。こうした情報として、ユーザーにとって重要であるが緊急性はない情報を表示させれば、電子ペーパー１８の書き換え回数を増大させることもない。あるいは、詳細は表示せずに単にユーザーに対する注意を喚起するために「詳細はタッチパネルディスプレイを見て下さい」等の表示を行わせてもよい。
【符号の説明】
【００４３】
１  画像読取装置
１０  制御部
１１  原稿読取部（読取部）
１２  原稿搬送機構
１３  記憶部
１４  画像形成部
１５  用紙搬送機構
１６  操作パネル
１７  表示部
１８  電子ペーパー（補助表示部）
１９  開閉センサー
２０  トナー残量センサー
２１  用紙残量センサー
５０  本体
５０Ａ  原稿載置面
５１  プラテンカバー
Ｐ  原稿
Ｓ  原稿サイズ認識用パターン
【図１】
2019213150.tif 000003
【図２】
2019213150.tif 000004
【図３】
2019213150.tif 000005
【図４】
2019213150.tif 000006
【図５】
2019213150.tif 000007